(57)【要約】      （修正有）【課題】生産速度を上昇させた場合であっても、コードに掛かるテンションを適切に制御して、コードの撚りに乱れが生じることがなく、コード入りゴム部材を製造することができるコード入りゴム部材の製造技術を提供する。【解決手段】コード１が巻き取られた複数のリール１４を保持するリール保持手段１０と、保持された各リールからコードを引き出して下流側へ送り出すコード引出手段と、送り出されてきたコードを整列させるコード整列手段と、ゴムを押出して整列されたコードへ被覆するゴム押出機２４と、ゴムが被覆された帯状のコード入りゴム部材２を引き出して下流側へ送り出すゴム部材引出し用駆動ローラー３２と、ゴム部材引出し用駆動ローラーから送り出されてきたコード入りゴム部材を巻き取る巻取手段３０とを備えており、更に、リール保持手段とゴム押出機との間に、コードに掛かる張力を制御する張力制御手段を備えているゴム被覆装置。【選択図】図１
2020066160.tif 000002
【特許請求の範囲】
【請求項１】
整列した複数本のコードにゴムを被覆するゴム被覆装置であって、
コードが巻き取られた複数のリールを保持するリール保持手段と、
前記リール保持手段に保持された各リールからコードを引き出して下流側へ送り出すコード引出手段と、
送り出されてきた前記コードを整列させるコード整列手段と、
ゴムを押出して、整列された前記コードへ被覆するゴム押出機と、
前記ゴムが被覆された帯状のコード入りゴム部材を引き出して下流側へ送り出すゴム部材引出し用駆動ローラーと、
前記ゴム部材引出し用駆動ローラーから送り出されてきた前記コード入りゴム部材を巻き取る巻取手段とを備えており、
さらに、前記リール保持手段と前記ゴム押出機との間に、前記コードの引き出しに際して、前記コードに掛かる張力を制御する張力制御手段を備えていることを特徴とするゴム被覆装置。
【請求項２】
前記コード引出手段と前記ゴム押出機との間に、前記張力制御用駆動ローラーと前記ゴム部材引出し用駆動ローラーとの間において前記コードに掛かる荷重を計測するロードセルが配置されており、
前記コード引出手段が、前記リール保持手段と前記ゴム押出機との間に設けられた張力制御用駆動ローラーにより構成され、
前記張力制御手段が、前記ロードセルが計測した荷重に基づいて、前記ゴム部材引出し用駆動ローラーにおける前記コード入りゴム部材の引き出し速度に対する前記張力制御用駆動ローラーにおける前記コードの引き出し速度の比率を、前記コード入りゴム部材の引き出し速度を基準速度として変化させることにより、前記コードに掛かる張力を所定の範囲に制御する制御手段であることを特徴とする請求項１に記載のゴム被覆装置。
【請求項３】
前記コード引出手段が、前記リール保持手段と前記ゴム押出機との間に設けられた張力制御用駆動ローラーにより構成され、
前記張力制御手段が、前記張力制御用駆動ローラーにおける前記コードの引き出し速度に対する前記ゴム部材引出し用駆動ローラーにおける前記コード入りゴム部材の引き出し速度の比率を、前記コード入りゴム部材の引き出し速度を基準速度として、所定の値に維持することにより、前記コードに掛かる張力を所定の範囲に制御する制御手段であることを特徴とする請求項１に記載のゴム被覆装置。
【請求項４】
請求項１ないし請求項３のいずれか１項に記載のゴム被覆装置を用いてコードにゴムが被覆された帯状のコード入りゴム部材を製造する帯状コード入りゴム部材の製造方法であって、
コードが巻き取られた複数のリールを保持するリール保持工程と、
保持された前記リールからコードを引き出して下流側へ送り出すコード引出工程と、
送り出されてきた前記コードを整列させるコード整列工程と、
ゴムを押出して、整列された前記コードへ被覆するゴム被覆工程と、
前記ゴムが被覆された帯状のコード入りゴム部材を引き出して下流側へ送り出すゴム部材引出し工程と、
送り出されてきた前記コード入りゴム部材を巻き取る巻取工程とを備えており、
前記コード引出工程において、前記コードに掛かる張力を制御することを特徴とする帯状コード入りゴム部材の製造方法。
【請求項５】
請求項２に記載のゴム被覆装置を用いてコードにゴムが被覆された帯状のコード入りゴム部材を製造する帯状コード入りゴム部材の製造方法であって、
コードが巻き取られた複数のリールを保持するリール保持工程と、
保持された前記リールからコードを引き出して下流側へ送り出すコード引出工程と、
送り出されてきた前記コードを整列させるコード整列工程と、
ゴムを押出して、整列された前記コードへ被覆するゴム被覆工程と、
前記ゴムが被覆された帯状のコード入りゴム部材を引き出して下流側へ送り出すゴム部材引出し工程と、
送り出されてきた前記コード入りゴム部材を巻き取る巻取工程とを備えており、
前記ロードセルが計測した前記コードに掛かる荷重に基づいて、前記ゴム部材引出し用駆動ローラーにおける前記コード入りゴム部材の引き出し速度に対する前記張力制御用駆動ローラーにおける前記コードの引き出し速度の比率を、前記コード入りゴム部材の引き出し速度を基準速度として変化させることにより、前記コードに掛かる張力を所定の範囲に制御することを特徴とする帯状コード入りゴム部材の製造方法。
【請求項６】
請求項３に記載のゴム被覆装置を用いてコードにゴムが被覆された帯状のコード入りゴム部材を製造する帯状コード入りゴム部材の製造方法であって、
コードが巻き取られた複数のリールを保持するリール保持工程と、
保持された前記リールからコードを引き出して下流側へ送り出すコード引出工程と、
送り出されてきた前記コードを整列させるコード整列工程と、
ゴムを押出して、整列された前記コードへ被覆するゴム被覆工程と、
前記ゴムが被覆された帯状のコード入りゴム部材を引き出して下流側へ送り出すゴム部材引出し工程と、
送り出されてきた前記コード入りゴム部材を巻き取る巻取工程とを備えており、
前記張力制御用駆動ローラーにおける前記コードの引き出し速度に対する前記ゴム部材引出し用駆動ローラーにおける前記コード入りゴム部材の引き出し速度の比率を、前記コード入りゴム部材の引き出し速度を基準速度として、所定の値に維持することにより、前記コードに掛かる張力を所定の範囲に制御することを特徴とする帯状コード入りゴム部材の製造方法。
【発明の詳細な説明】
【技術分野】
【０００１】
本発明は、整列した複数本のコードにゴムを被覆するゴム被覆装置および前記ゴム被覆装置を用いて帯状のコード入りゴム部材を製造する帯状のコード入りゴム部材の製造方法に関する。
【背景技術】
【０００２】
空気入りタイヤの製造に際しては、カーカスプライやブレーカーなど、複数本のコードを有する帯状のコード入りゴム部材（以下、単に「コード入りゴム部材」ともいう）が用いられている。このようなコード入りゴム部材は、一般に、ゴム被覆装置を用いて、所定の間隔に整列した複数本のコードにゴムを被覆することにより製造されている（例えば、特許文献１〜３）。
【０００３】
図２は、従来のゴム被覆装置の概略構成を示す側面図である。図２に示すように、従来のゴム被覆装置は、複数のリール１４の各々をクリールスタンド１２にセットして保持するリール保持手段１０、保持された各リール１４から引き出されてきたコード１をバッフル２２により整列させて、ゴム押出機２４中で、ゴム押出機２４から押出されてきたゴムを被覆することによりコード入りゴム部材２に加工するゴム被覆部２０、加工されたコード入りゴム部材２を引き出してクーリング部３４に向けて送り出すゴム部材引出し用駆動ローラー４０、および、ゴム部材引出し用駆動ローラー４０から送り出されたコード入りゴム部材２をクーリング部３４で冷却した後、巻取リール（図示せず）に巻き取る巻取手段３０を備えている。
【０００４】
このとき、各コード１は、ゴム部材引出し用駆動ローラー４０の引き出し速度に合わせて引き出されているが、リール１４から引き出されたコード１に掛かるテンション（張力）が適切に制御されていないと、得られたコード入りゴム部材２にカールなどの不具合が発生する恐れがある。このため、クリールスタンド１２にセットされたリールから引き出されるコード１には、所定のブレーキが掛かるようになっており、このブレーキ圧をクリールスタンド１２において調整、制御している。
【先行技術文献】
【特許文献】
【０００５】
【特許文献１】特開２０１７−３５８２５号公報
【特許文献２】特開２０１７−１７０６２２号公報
【特許文献３】特開２０１６−１４１０７５号公報
【発明の概要】
【発明が解決しようとする課題】
【０００６】
しかしながら、従来のコード入りゴム部材の製造においては、生産性の向上を図るために生産速度を上昇させた場合、コードの材質によっては、コード１に掛かっているブレーキ圧のためにコード１の引き出しがゴム部材引出し用駆動ローラー４０の上昇した引き出し速度に対応できなくなり、テンションを適切に制御できず、コードの撚りに乱れが発生することがある。このようなコードの撚りの乱れは、バッフルでコードの引っ掛かりを招いて、バッフルにコードの詰まりを生じさせる恐れがあり、その結果、適切にコード入りゴム部材が製造できなくなり、生産性の向上を図ることが難しくなる。
【０００７】
そこで、本発明は、生産速度を上昇させた場合であっても、コードに掛かるテンションを適切に制御して、コードの撚りに乱れが生じることがなく、コード入りゴム部材を製造することができるコード入りゴム部材の製造技術を提供することを課題とする。
【課題を解決するための手段】
【０００８】
本発明者は、上記の課題を解決するために鋭意検討を行った結果、以下に記載する発明により上記課題が解決できることを見出し、本発明を完成させるに至った。
【０００９】
請求項１に記載の発明は、
整列した複数本のコードにゴムを被覆するゴム被覆装置であって、
コードが巻き取られた複数のリールを保持するリール保持手段と、
前記リール保持手段に保持された各リールからコードを引き出して下流側へ送り出すコード引出手段と、
送り出されてきた前記コードを整列させるコード整列手段と、
ゴムを押出して、整列された前記コードへ被覆するゴム押出機と、
前記ゴムが被覆された帯状のコード入りゴム部材を引き出して下流側へ送り出すゴム部材引出し用駆動ローラーと、
前記ゴム部材引出し用駆動ローラーから送り出されてきた前記コード入りゴム部材を巻き取る巻取手段とを備えており、
さらに、前記リール保持手段と前記ゴム押出機との間に、前記コードの引き出しに際して、前記コードに掛かる張力を制御する張力制御手段を備えていることを特徴とするゴム被覆装置である。
【００１０】
請求項２に記載の発明は、
前記コード引出手段と前記ゴム押出機との間に、前記張力制御用駆動ローラーと前記ゴム部材引出し用駆動ローラーとの間において前記コードに掛かる荷重を計測するロードセルが配置されており、
前記コード引出手段が、前記リール保持手段と前記ゴム押出機との間に設けられた張力制御用駆動ローラーにより構成され、
前記張力制御手段が、前記ロードセルが計測した荷重に基づいて、前記ゴム部材引出し用駆動ローラーにおける前記コード入りゴム部材の引き出し速度に対する前記張力制御用駆動ローラーにおける前記コードの引き出し速度の比率を、前記コード入りゴム部材の引き出し速度を基準速度として変化させることにより、前記コードに掛かる張力を所定の範囲に制御する制御手段であることを特徴とする請求項１に記載のゴム被覆装置である。
【００１１】
請求項３に記載の発明は、
前記コード引出手段が、前記リール保持手段と前記ゴム押出機との間に設けられた張力制御用駆動ローラーにより構成され、
前記張力制御手段が、前記張力制御用駆動ローラーにおける前記コードの引き出し速度に対する前記ゴム部材引出し用駆動ローラーにおける前記コード入りゴム部材の引き出し速度の比率を、前記コード入りゴム部材の引き出し速度を基準速度として、所定の値に維持することにより、前記コードに掛かる張力を所定の範囲に制御する制御手段であることを特徴とする請求項１に記載のゴム被覆装置である。
【００１２】
請求項４に記載の発明は、
請求項１ないし請求項３のいずれか１項に記載のゴム被覆装置を用いてコードにゴムが被覆された帯状のコード入りゴム部材を製造する帯状コード入りゴム部材の製造方法であって、
コードが巻き取られた複数のリールを保持するリール保持工程と、
保持された前記リールからコードを引き出して下流側へ送り出すコード引出工程と、
送り出されてきた前記コードを整列させるコード整列工程と、
ゴムを押出して、整列された前記コードへ被覆するゴム被覆工程と、
前記ゴムが被覆された帯状のコード入りゴム部材を引き出して下流側へ送り出すゴム部材引出し工程と、
送り出されてきた前記コード入りゴム部材を巻き取る巻取工程とを備えており、
前記コード引出工程において、前記コードに掛かる張力を制御することを特徴とする帯状コード入りゴム部材の製造方法である。
【００１３】
請求項５に記載の発明は、
請求項２に記載のゴム被覆装置を用いてコードにゴムが被覆された帯状のコード入りゴム部材を製造する帯状コード入りゴム部材の製造方法であって、
コードが巻き取られた複数のリールを保持するリール保持工程と、
保持された前記リールからコードを引き出して下流側へ送り出すコード引出工程と、
送り出されてきた前記コードを整列させるコード整列工程と、
ゴムを押出して、整列された前記コードへ被覆するゴム被覆工程と、
前記ゴムが被覆された帯状のコード入りゴム部材を引き出して下流側へ送り出すゴム部材引出し工程と、
送り出されてきた前記コード入りゴム部材を巻き取る巻取工程とを備えており、
前記ロードセルが計測した前記コードに掛かる荷重に基づいて、前記ゴム部材引出し用駆動ローラーにおける前記コード入りゴム部材の引き出し速度に対する前記張力制御用駆動ローラーにおける前記コードの引き出し速度の比率を、前記コード入りゴム部材の引き出し速度を基準速度として変化させることにより、前記コードに掛かる張力を所定の範囲に制御することを特徴とする記載の帯状コード入りゴム部材の製造方法である。
【００１４】
請求項６に記載の発明は、
請求項３に記載のゴム被覆装置を用いてコードにゴムが被覆された帯状のコード入りゴム部材を製造する帯状コード入りゴム部材の製造方法であって、
コードが巻き取られた複数のリールを保持するリール保持工程と、
保持された前記リールからコードを引き出して下流側へ送り出すコード引出工程と、
送り出されてきた前記コードを整列させるコード整列工程と、
ゴムを押出して、整列された前記コードへ被覆するゴム被覆工程と、
前記ゴムが被覆された帯状のコード入りゴム部材を引き出して下流側へ送り出すゴム部材引出し工程と、
送り出されてきた前記コード入りゴム部材を巻き取る巻取工程とを備えており、
前記張力制御用駆動ローラーにおける前記コードの引き出し速度に対する前記ゴム部材引出し用駆動ローラーにおける前記コード入りゴム部材の引き出し速度の比率を、前記コード入りゴム部材の引き出し速度を基準速度として、所定の値に維持することにより、前記コードに掛かる張力を所定の範囲に制御することを特徴とする帯状コード入りゴム部材の製造方法である。
【発明の効果】
【００１５】
本発明によれば、生産速度を上昇させた場合であっても、コードに掛かるテンションを適切に制御して、コードの撚りに乱れが生じることがなく、コード入りゴム部材を製造することができるコード入りゴム部材の製造技術を提供することができる。
【図面の簡単な説明】
【００１６】
【図１】本発明の一実施の形態に係るゴム被覆装置を示す概略構成図である。
【図２】従来のゴム被覆装置の概略構成を示す側面図である。
【発明を実施するための形態】
【００１７】
以下、本発明を実施の形態に基づいて説明する。
【００１８】
１．本実施の形態に係るゴム被覆装置の概略構成
図１は、本実施の形態に係るゴム被覆装置を示す概略構成図である。なお、以下において、コードとしてスチールコードを例にして説明するが、テキスタイルコードなどであってもよい。
【００１９】
図１に示すように、本実施の形態に係るゴム被覆装置は、コードが巻き取られた複数のリール１４の各々をクリールスタンド１２に保持するリール保持手段１０、保持された各リール１４から引き出されてきたコード１を整列させるコード整列手段（バッフル２２）とゴムを押出して整列されたコード１へ被覆するゴム押出機２４とを備えたゴム被覆部２０、コード１へゴムが被覆された帯状のコード入りゴム部材２を引き出して下流側のクーリング部３４に向けて送り出すゴム部材引出し用駆動ローラー３２、ゴム部材引出し用駆動ローラー３２から送り出されたコード入りゴム部材２をクーリング部３４で冷却した後、巻取リール（図示せず）に巻き取る巻取手段３０を備えている点においては、図２に示した従来のゴム被覆装置と基本的に同様である。
【００２０】
しかしながら、本実施の形態に係るゴム被覆装置は、リール保持手段１０とゴム押出機２４との間に、コード１の引き出しに際して、コード１に掛かる張力を制御する張力制御手段を備えている点において、従来と異なっている。
【００２１】
２．本実施の形態に係るゴム被覆装置の具体的な構成
以下、本実施の形態に係るゴム被覆装置の具体的な構成について説明する。なお、以下においては、まず、従来のゴム被覆装置と基本的な構成の部分について説明し、その後、本実施の形態におけるゴム被覆装置の特徴部である張力制御手段について説明する。
【００２２】
（１）リール保持手段
リール保持手段１０は、コード１が巻き取られた複数のリール１４をクリールスタンド１２に保持するように構成されている。
【００２３】
（２）コード引出手段
コード引出手段は、リール保持手段に保持された各リール１４からコード１を引き出して下流側へ送り出す。本実施の形態において、具体的なコード引出手段は、後述する張力制御用駆動ローラー１８である。
【００２４】
（３）整列手段
整列手段は、各リール１４から引き出されてきた複数のコード１を整列させるためにゴム押出機２４の手前に設けられた金型（バッフル２２）であり、バッフル２２の表面に形成された複数の溝の各々に、コードを通すことにより、コード１を所定の間隔に整列させた状態でゴム押出機２４に送り出すことができる。
【００２５】
（４）ゴム押出機
ゴム押出機２４は、バッフル２２において整列されたコード１に、ゴムを押出して被覆することにより、コード入りゴム部材２に成形する。このとき、被覆されたゴムの幅と厚みを制御するために、ゴム押出機２４の先端部には、ダイプレート（図示せず）が備えられていることが好ましい。
【００２６】
（５）ゴム部材引出し用駆動ローラー
ゴム部材引出し用駆動ローラー３２は、ゴム押出機２４において成形されたコード入りゴム部材２を引き出し、下流側のクーリング部３４へと送り出す。
【００２７】
（６）巻取手段
巻取手段３０は、ゴム部材引出し用駆動ローラーを経由して送られてきたコード入りゴム部材２をクーリング部３４を経由して搬送した後、巻取リール（図示せず）に巻き取る。
【００２８】
（７）張力制御手段
本実施の形態においては、リール保持手段１０とゴム押出機２４との間に、コード引出手段でもある張力制御用駆動ローラー１８が設けられている。さらに、張力制御用駆動ローラー１８とゴム押出機２４との間に、張力制御用駆動ローラー１８とゴム部材引出し用駆動ローラー３２との間においてコード１に掛かる荷重を計測するロードセル１７が配置されている。
【００２９】
従来は、図２に示す通り、ゴム押出機２４の下流側に設けられたゴム部材引出し用駆動ローラーのみによって、クリールスタンド１２のリールからコードを引き出していた。そして、コードのテンションの管理はクリールスタンド１２のブレーキのみで行っていた。このため、前記した通り、生産速度を上げた場合、コードの材質によっては、コード１に掛かるブレーキ圧がゴム部材引出し用駆動ローラー４０の引き出し速度に対応できなくなり、テンションの制御が適切に行われず、テンションによってコードの撚りに乱れが発生することがあった。
【００３０】
これに対して、本実施の形態においては、従来と同じゴム部材引出し用駆動ローラー３２に加えて、上記したように、ゴム押出機２４とリール保持手段１０の間に、張力制御用駆動ローラー１８を設け、さらに、張力制御用駆動ローラー１８とゴム押出機２４との間に、張力制御用駆動ローラー１８とゴム部材引出し用駆動ローラー３２との間においてコード１に掛かる荷重を計測するロードセル１７を設けている。
【００３１】
そして、ロードセル１７が計測したコード１に掛かる荷重に基づいて、ゴム部材引出し用駆動ローラー３２におけるコード入りゴム部材２の引き出し速度に対する張力制御用駆動ローラー１８におけるコード１の引き出し速度を変化させることにより、コード１に掛かる張力を所定の範囲に制御している。このとき、ゴム部材引出し用駆動ローラー３２におけるコード入りゴム部材２の引き出し速度を基準速度として、張力制御用駆動ローラー１８におけるコード１の引き出し速度を調整することが好ましい。
【００３２】
また、上記では、ロードセル１７による計測結果に基づいて、ゴム部材引出し用駆動ローラー３２におけるコード入りゴム部材２の引き出し速度に対する張力制御用駆動ローラー１８におけるコード１の引き出し速度を適宜変化させて、コード１に掛かる張力を所定の範囲に制御しているが、この２つの速度の比率を、予め定められた所定の値に維持することによっても、リール１４から引き出されたコード１に掛かる張力を予め定めた所定の範囲に制御して、適切に維持することができる。
【００３３】
この場合、ゴム押出機２４とリール保持手段１０の間には、張力制御用駆動ローラー１８のみを設ければよく、ロードセルの配置を設ける必要がないため、簡便な構成のゴム被覆装置とすることができる。
【００３４】
３．本実施の形態に係るコード入りゴム部材の製造方法
次に、上記した構成のゴム被覆装置を用いたコード入りゴム部材の製造方法について、説明する。
【００３５】
本実施の形態に係るコード入りゴム部材の製造方法は、コードに掛かるテンションを制御している点を除いて、リール１４に巻き取られた状態でクリールスタンド１２にセットされているコード１を引き出して、バッフル２２で整列させた後、ゴム押出機２４に送り出し、ゴム押出機２４内でコード１にゴムを被覆して、コード入りゴム部材２を製造している点においては、従来のコード入りゴム部材の製造方法と基本的に同じである。
【００３６】
このため、以下においては、本実施の形態に係るコード入りゴム部材の製造方法における特徴部であるコードに掛かるテンションの制御方法について説明する。
【００３７】
（１）第１の制御方法
本方法においては、ロードセル１７で計測された荷重に基づいて、ゴム部材引出し用駆動ローラー３２におけるコード入りゴム部材２の引き出し速度に対する張力制御用駆動ローラー１８におけるコード１の引き出し速度を、適宜、変化させることによって、コードに掛かる張力を所定の範囲に制御する。
【００３８】
具体的には、図１に示すように、リール保持手段１０とゴム押出機２４との間に張力制御用駆動ローラー１８を配置する。さらに、コード引出手段とゴム押出機２４との間に、ロードセル１７を配置し、張力制御用駆動ローラー１８とゴム部材引出し用駆動ローラー３２との間においてコード１に掛かる荷重を、コード１に掛かるテンションとして測定する。
【００３９】
そして、測定された荷重データに基づいて、ゴム部材引出し用駆動ローラー３２におけるコード入りゴム部材２の引き出し速度に対する張力制御用駆動ローラー１８におけるコード１の引き出し速度の比率を、ゴム部材引出し用駆動ローラー３２におけるコード入りゴム部材２の引き出し速度を基準として、適宜変動させる。
【００４０】
具体的には、ロードセル１７によって計測された荷重データが設定荷重より大きい場合、コード１に掛かるテンションが強過ぎるため、張力制御用駆動ローラー１８におけるコード１の引き出し速度を、基準速度であるゴム部材引出し用駆動ローラー３２におけるコード入りゴム部材２の引き出し速度に対して速く設定する。これにより、コード１に掛かるテンションが緩和されて、荷重を小さくさせることができ、コード１に掛かるテンションを適切なテンションに調整することができる。
【００４１】
一方、ロードセル１７によって計測された荷重データが設定荷重より小さい場合、コード１に掛かるテンションが弱過ぎるため、張力制御用駆動ローラー１８におけるコード１の引き出し速度を、基準速度であるゴム部材引出し用駆動ローラー３２におけるコード入りゴム部材２の引き出し速度に対して遅く設定する。これにより、コード１に掛かるテンションが強化されて、荷重を大きくさせることができ、コード１に掛かるテンションを適切なテンションに調整することができる。
【００４２】
これにより、生産速度を上昇させた場合でも、テンションが一定の範囲内にコントロールされた状態で、コードが引き出されてゴム押出機２４に送り込まれるため、コードの撚りの乱れを招くことなく、適切に、コード入りゴム部材を製造することができる。
【００４３】
そして、このような調整をする制御手段を設けておくことにより自動でコードのテンションの制御をすることができる。
【００４４】
（２）第２の制御方法
本方法においては、ロードセルは設けず、ゴム押出機２４とリール保持手段１０の間に張力制御用駆動ローラー１８のみを設ける。そして、張力制御用駆動ローラー１８におけるコード１の引き出し速度に対するゴム部材引出し用駆動ローラー３２におけるコード入りゴム部材２の引き出し速度の比率を所定の値に維持することによって、コードに掛かる張力を所定の範囲に制御する。
【００４５】
即ち、張力制御用駆動ローラー１８におけるコード１の引き出し速度が遅くなると、コード１に掛かるテンションが強くなると同時に、張力制御用駆動ローラー１８におけるコード１の引き出し速度に対するゴム部材引出し用駆動ローラー３２におけるコード入りゴム部材２の引き出し速度の比率が大きくなる。一方、張力制御用駆動ローラー１８の周速度が速くなると、コード１に掛かるテンションが弱くなると同時に、張力制御用駆動ローラー１８におけるコード１の引き出し速度に対するゴム部材引出し用駆動ローラー３２におけるコード入りゴム部材２の引き出し速度の比率が小さくなる。
【００４６】
このため、張力制御用駆動ローラー１８におけるコード１の引き出し速度に対するゴム部材引出し用駆動ローラー３２におけるコード入りゴム部材２の引き出し速度の比率を所定の値に維持することによって、コードに掛かる張力を所定の範囲に制御することができる。なお、この場合においても、コード入りゴム部材２の引き出し速度を基準速度として、張力制御用駆動ローラー１８におけるコード１の引き出し速度を変化させて、２つの速度の比率を所定の値に維持する。
【００４７】
そして、この方法の場合、ロードセルを用いることなく、２つのローラーにおける引き出し速度の比率を制御するのみでよいため、制御手段も簡易な構成の制御手段でよい。
【実施例】
【００４８】
以下、実施例に基づき、本発明をさらに具体的に説明する。
【００４９】
１．実験方法
実施例と比較例のゴム被覆装置を用いてコード入りゴム部材を製造し、その品質について評価した。
【００５０】
（１）実施例
実施例として、図１に示す本発明のゴム被覆装置を用いて、撚りが１×０．２０＋６×０．１６、コード径がφ０．５６ｍｍ、エンズが４９本／５ｃｍのスチールコードを使用し、表１に示すように、ゴム部材引出し用駆動ローラーにおけるコード入りゴム部材の引き出し速度と、張力制御用駆動ローラーにおけるコードの引き出し速度を変化させてゴムを被覆することにより、トータルゲージが１．０５ｍｍのコード入りゴム部材を製造した（実施例１〜実施例３）。
【００５１】
（２）比較例
一方、比較例として、図２に示す従来のゴム被覆装置を用いたこと以外は、実施例と同様にして、コード入りゴム部材を製造した（比較例１、比較例２）。
【００５２】
２．実験結果
製造したコード入りゴム部材に対して、撚り乱れ発生の有無と、バッフル詰まり発生の有無とを評価した。実験の結果を表１に示す。
【００５３】
【表１】
2020066160.tif 000003
【００５４】
表１より、実施例は、ゴム部材引出し用駆動ローラーにおけるコード入りゴム部材の引き出し速度と張力制御用駆動ローラーにおけるコードの引き出し速度とが適切に制御されているため、比較例よりもコードの撚りの乱れの発生、バッフル詰まりの発生を共に抑制できていることが確認できた。
【００５５】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００５６】
１              コード
２              コード入りゴム部材
１０            リール保持手段
１２            クリールスタンド
１４            リール
１７            ロードセル
１８            張力制御用駆動ローラー
２０            ゴム被覆部
２２            バッフル
２４            ゴム押出機
３０            巻取手段
３２、４０      ゴム部材引出し用駆動ローラー
３４            クーリング部
【図１】
2020066160.tif 000004
【図２】
2020066160.tif 000005